(57)【要約】【課題】ネズミの習性を利用して、効率的にネズミが捕獲できるようにしたネズミ捕獲器を提供する。【解決手段】シート部材に底面部１１を形成すると共に、底面部１１の両側に側面部１２及び傾斜面部１３を形成し、底面部１１に粘着材を塗布して、粘着層１４を形成する。側面部１２を底面部１１に対して垂直に折り曲げると共に、傾斜面部１３を折り曲げ、側面部材１２の縁部と傾斜面部１３の縁部とを固定する。側面部１２が底面部１１に対して垂直に折り曲げられるため、壁際にぴたりと置くことができ、壁際を沿って走るというネズミの習性を使って、ネズミを効率的に捕獲することができる。【選択図】　　　　図２
0003098911.tif 000002
【実用新案登録請求の範囲】
【請求項１】
粘着材が塗布された底面部と、前記底面部の両側に形成された側面部及び傾斜面部とを有するシート部材から構成されるネズミ捕獲器であって、
前記側面部を前記底面部に対して垂直に折り曲げると共に、前記傾斜面部を折り曲げ、前記側面部材の縁部と前記傾斜面部の縁部とを嵌合によって固定するようにしたことを特徴とするネズミ捕獲器。
【請求項２】
前記側面部を前記底面部上に折り畳み、その上に、前記傾斜面を折り畳むことができるようにしたことを特徴とする請求項１に記載のネズミ捕獲器。
【請求項３】
前記側面部を前記底面部上に折り畳んだときに、前記側面部と前記底面部との間に空隙を生じさせるスペーサを設けるようにしたことを特徴とする請求項２に記載のネズミ捕獲器。
【請求項４】
前記スペーサは、前記底面部に設けられることを特徴とする請求項３に記載のネズミ捕獲器。
【請求項５】
前記スペーサは、前記底面部と前記側面部とに対向して設けられることを特徴とする請求項３に記載のネズミ捕獲器。
【請求項６】
前記側面部の縁部に凹部を設け、前記傾斜面部の縁部に突片を設け、前記突片を前記凹部に嵌合させて、前記側面部材の縁部と前記傾斜面部の縁部とを固定するようにしたことを特徴とする請求項１に記載のネズミ捕獲器。
【請求項７】
前記底面部と前記底面部との間及び前記底面部と前記傾斜面部との間のそれぞれに、２本の折目を近接して形成するようにしたことを特徴とする請求項１に記載のネズミ捕獲器。
【請求項８】
前記傾斜面は曲面に曲げられ、側面から見た形状が扇形形状に形成されることを特徴とする請求項１に記載のネズミ捕獲器。
【請求項９】
前記傾斜面は中央に折目を有し、その折目で折り曲げることによって、側面から見た形状が矩形形状に形成されることを特徴とする請求項１に記載のネズミ捕獲器。
【請求項１０】
前記傾斜面は中央に折目を有し、その折目で折り曲げることによって、側面から見た形状が台形形状に形成されることを特徴とする請求項１に記載のネズミ捕獲器。
【考案の詳細な説明】
【０００１】
【考案の属する技術分野】
本考案は、シート部材に粘着材を塗布したネズミ捕獲器に関するもので、特に、効率的にネズミを捕獲できるようにしたネズミ捕獲器に関する。
【０００２】
【従来の技術】
従来より、粘着材を紙シートに塗布してネズミを捕獲するネズミ捕獲器が販売されている。このようなネズミ捕獲器としては、たとえば特許文献１に示すように、粘着材が塗布されたシートを広げ、このシートをネズミの出そうな場所に置いておき、ネズミがそのシートの上を歩くと、そのシート上にネズミが捕獲されるようなタイプのものがある。
【０００３】
また、たとえば特許文献２に示すように、使用するときにハウスを組み立てて、トンネル状の通路を形成し、その通路内の部材に粘着材を塗布しておき、ネズミがハウス内のトンネル状の通路を通ると、ハウス内に捕獲されるようなタイプのものがある。
【０００４】
【特許文献１】
実用新案登録第３０６６９６１号
【特許文献２】
実用新案登録第３０２２３８１号
【０００５】
【考案が解決しようとする課題】
特許文献１に示すような粘着材が塗布されたシートを広げて置くようなタイプのネズミ捕獲器は、使用時には開いて使うため、粘着面積を広くとることができ、ネズミを効率よく捕獲することができる。ところが、このようなタイプのネズミ捕獲器では、粘着材が露呈されるため、使用中に塵埃を被りやすく、また、誤って子どもが粘着材に触れる危険性がある。
【０００６】
これに対して、たとえば特許文献２に示すようなハウス組み立て式のネズミ捕獲器では、塵埃を被りにくくなり、また、子どもが粘着材に触れる危険性は少ない。しかしながら、このようなタイプのネズミ捕獲器では、ネズミがトンネル状の通路に入らなければ捕獲できず、効率よくネズミを捕獲できない。
【０００７】
また、ハウスタイプのネズミ捕獲器では、特許文献２に示されているように、販売、流通、保管が便利なように、折り畳めるような構造になっており、使用時に、ユーザがハウスを組み立てるようにしている。ところが、従来のハウスタイプのネズミ捕獲器では、組み立てが簡単には行えない。
【０００８】
本考案の目的は、ネズミの習性を利用して、効率的にネズミが捕獲できるようにしたネズミ捕獲器を提供することにある。
【０００９】
本考案の他の目的は、組み立てや折り畳みが簡単に行えるようにしたネズミ捕獲器を提供することにある。
【００１０】
【課題を解決するための手段】
本考案に係るネズミ捕獲器は、粘着材が塗布された底面部と、前記底面部の両側に形成された側面部及び傾斜面部とを有するシート部材から構成されるネズミ捕獲器であって、側面部を底面部に対して垂直に折り曲げると共に、傾斜面部を折り曲げ、側面部材の縁部と傾斜面部の縁部とを嵌合によって固定するようにしたことを特徴とする。
【００１１】
本考案によれば、側面部が底面部に対して垂直に折り曲げられるため、壁際にぴたりと置くことができ、壁際を沿って走るというネズミの習性を使って、ネズミを効率的に捕獲することができる。
【００１２】
本考案では、側面部を底面部上に折り畳み、その上に、傾斜面を折り畳むことができる。側面部を底面部上に折り畳み、その上に、傾斜面を折り畳むことにより、販売、流通、保管が便利になる。
【００１３】
本考案では、側面部を底面部上に折り畳んだときに、側面部と底面部との間に空隙を生じさせるスペーサを設けるようにしている。このようなスペーサが設けられているため、側面部を底面部上に折り畳み、その上に、傾斜面を折り畳んだときに、側面部と底面部とが粘着材により貼り付いてしまうことが防止できる。
【００１４】
本考案では、側面部の縁部に凹部を設け、傾斜面部の縁部に突片を設け、突片を凹部に嵌合させて、側面部材の縁部と傾斜面部の縁部とを固定するようにしている。このように、突片を凹部に嵌合させて、側面部材の縁部と傾斜面部の縁部とを固定しているので、組み立てや分解が簡単に行える。
【００１５】
本考案では、ネズミ捕獲器の側面形状を曲面、矩形または台形に形成することによって、周囲の雰囲気に合致したネズミ捕獲器を提供できる。
【００１６】
【考案の実施の形態】
第１の実施の形態
以下、本考案の実施の形態について図面を参照して説明する。図１は、本考案に係るネズミ捕獲器１の展開図である。本考案に係るネズミ捕獲器１は、厚紙シート部材から加工される。
【００１７】
図１において、厚紙シート部材の中央には、底面部１１が設けられる。厚紙シート部材としては、シクラパック（登録商標）が好適である。シクラパックは、耐水性に優れた厚紙であり、折り曲げが容易で、消却しても有毒物質が生じないという特徴がある。厚紙シート部材としては、強度が十分であれば、段ボールや不織布のシートを用いるようにしてもよい。また、厚紙シート部材の代わりに、合成樹脂のシートを用いることも考えられるが、廃棄するときの環境悪化を考えると、厚紙シート部材の方が望ましい。
【００１８】
また、厚紙シート部材を着色しておくようにしてもよい。たとえば、厚紙シートを黒色に着色しておくと、反射される光の量がきわめて少なくなり、ネズミに警戒心を抱かせることがなくなり、ネズミが効率的に捕獲できる。
【００１９】
底面部１１には、粘着材が塗布されることにより、粘着層１４が形成されている。なお、この例では、粘着材は、底面部１１だけに限らず、底面部１１から側面部１２に渡って塗布されているが、底面部１１にだけ粘着材を塗布するようにしてもよい。粘着材としては、たとえば、日本油脂株式会社製のポリブデンを主成分とする粘着材が用いられる。勿論、粘着材は、これに限られるものではなく、ネズミの動きを封じ込めるだけの粘性のある粘着剤であれば、どのようなものを用いてもよい。底面部１１のほぼ中央に、スペーサ１５が貼着される。
【００２０】
底面部１１の両側からは、側面部１２と傾斜面部１３とが延設されている。側面部１２の幅Ｗ２は、底面部１１の幅Ｗ１とほぼ等しいか、あるいは少し短くなっている。傾斜面部１３の幅Ｗ３は底面部１１及び側面部１２より長くなっており、底面部１１の幅Ｗ１と側面部１２の幅Ｗ２と傾斜面部１３の幅Ｗ３とは、三平方の定理を満足する直角三角形の３辺の長さの関係になっている。
【００２１】
側面部１２の縁部には凹部１６が設けられる。傾斜面部１３の縁部には、突片１７が設けられる。側面部１２の凹部１６と、傾斜面部１３の突片１７とは対応した形状となっている。傾斜面部１３の突片１７の両側には、切り込み１８ａ及び１８ｂが形成される。突片１７の付け根には、折目２５が設けられる。側面部１２の凹部１６の両側の壁部１９ａ、１９ｂは、突片１７と凹部１６とを嵌合しやすくするために、外側に少し広げられている。
【００２２】
底面部１１と側面部１２との間には、２本の折目２１及び２２が近接して形成される。底面部１１と傾斜面部１３との間には、２本の折目２３及び２４が近接して形成される。折目２１と折目２２との間の間隔Ｔ１、及び、折目２３と折目２４との間の間隔Ｔ２は、それぞれスペーサ１５の高さとほぼ同じである。
【００２３】
図２は、ネズミ捕獲器１の組み立て工程を示すものである。図２（Ａ）に示すように、まず、側面部１２を底面部１１に対して垂直になるように折目２１及び２２から折り曲げる。側面部１２を底面部１１に対して垂直に折り曲げたら、図２（Ｂ）に示すように、傾斜面部１３を折目２３及び２４から内側に折り曲げる。そして、側面部１２の凹部１６に、傾斜面部１３の突片１７を嵌合する。傾斜面部１３の突片１７を側面部１２の凹部１６に嵌合する際に、突片１７の両側の切り込み１８ａ及び１８ｂと、側面部１２の凹部１６の両側の壁部１９ａ及び１９ｂとをそれぞれ係合する。そして、突片１７を折目２５から折り曲げる。これにより、図２（Ｃ）に示すように、側面部１２と傾斜面部１３とが固定される。このようにしてネズミ捕獲器１を組み立てると、ネズミ捕獲器１の両側が開口になり、ここが入り口３１及び３２となる。
【００２４】
ネズミ捕獲器１を分解するときには、側面部１２と傾斜面部１３との嵌合を外す。このとき、突片１７を起こして、側面部１２と傾斜面部１３とを開くようにすれば、傾斜面部１３の突片１７の両側の切り込み１８ａ及び１８ｂと、側面部１２の凹部１６の両側の壁部１９ａ及び１９ｂとの係合が外れ、傾斜面部１３の突片１７と側面部１２の凹部１６とが離れる。
【００２５】
このように、本考案に係るネズミ捕獲器１では、側面部１２と傾斜面部１３とを折り曲げ、傾斜面部１３の突片１７を側面部１２の凹部１６に嵌合するだけで、簡単に組み立てが完了する。また、傾斜面部１３の突片１７と側面部１２の凹部１６との嵌合を外せば、簡単に元の状態に戻すことができる。
【００２６】
図３は、図２に示したようにして組み立てられたネズミ捕獲器１の側面の構成を示すものである。ネズミ捕獲器１の側面は、図３に示すように、底面部１１と側面部１２と傾斜面部１３とからなる直角三角形の形状となる。
【００２７】
前述したように、底面部１１と側面部１２との間には、２本の折目２１及び２２が近接して形成され、底面部１１と傾斜面部１３との間には、２本の折目２３及び２４が近接して形成されている。このため、折目２１、２２及び折目２３、２４の部分の曲げ角が鋭敏にならず、折り曲げ作業が容易になると共に、強度が増強される。
【００２８】
また、底面部１１と側面部１２との間には、２本の折目２１及び２２が近接して形成されているため、底面部１１と側面部１２とを垂直に折り曲げることが容易になる。
【００２９】
図３に示すように、本考案に係るネズミ捕獲器１は、底面部１１に対して側面部１２が垂直になる。このため、図４に示すように、その底面部１１を部屋の床３３におき、その側面部１２を部屋の壁３４に接触させておくことができる。このようにすると、壁際を走るネズミ３５の通路上に、ネズミ捕獲器１の入り口３１及び３２が来ることになり、ネズミを効率的に捕獲することができる。
【００３０】
すなわち、ネズミを効率的に捕獲するためには、ネズミは壁に沿って走るという習性を知る必要がある。ネズミは壁に沿って走るという習性を考慮に入れると、ネズミ捕獲器１は、壁に沿って置くことが望ましい。
【００３１】
本考案に係るネズミ捕獲器１では、底面部１１に対して側面部１２が垂直になるため、底面部１１を部屋の床３３に置くと、側面部１２は部屋の壁３４と平行になり、ネズミ捕獲器１を壁際にぴたりと置くことができる。このように、ネズミ捕獲器１を壁際に置くことで、壁伝いに走るネズミ３５を効率的に捕獲できる。
【００３２】
また、本考案では、厚紙シート部材を用いて加工している。特に、厚紙シート部材としてシクラパックを使うと、燃やしても有毒物が発生しない。このため、ネズミが捕獲されたら、消却して処分することができる。
【００３３】
本考案が適用されたネズミ捕獲器１は、販売、流通、保管が便利なように、図５に示すように、簡単に折り畳むことができる。図５は、ネズミ捕獲器１を折り畳んで格納するときの工程を示すものである。
【００３４】
図５（Ａ）に示すように、側面部１２を底面部１１に対向するように折目２１及び２２から折り畳む。
【００３５】
前述したように、底面部１１と側面部１２との間には、２つの折目２１及び２２が間隔Ｔ１だけ離れて形成され、底面部１１と傾斜面部１３との間には、２つの折目２３及び２４が間隔Ｔ２だけ離れて形成されている。また、底面部１１にはスペーサ１５が設けられている。したがって、図６に示すように、側面部１２を底面部１１に対向するように折り畳むと、底面部１１と側面部１２との間に、スペーサ１５が介在され、側面部１２と底面部１１との間に空隙が生じる。このように、側面部１２と底面部１１との間に空隙が生じるため、底面部１１上に粘着層を設けても、底面部１１と側面部１２とが貼り付いてしまうことはない。
【００３６】
側面部１２を底面部１１上に折り畳んだら、図５（Ｂ）に示すように、その上に、傾斜面部１３を折り畳む。このように、ネズミ捕獲器１を折り畳むと、図５（Ｃ）に示すように、平板状になり、販売、流通、保管が便利になる。
【００３７】
第２の実施の形態
図７は、この考案の第２の実施の形態を示すものである。前述の第１の実施の形態では、側面部１２の凹部１６に、傾斜面部１３の突片１７を嵌合させて、側面部１２と傾斜面部１３とを固定するようにしている。これに対して、この第２の実施の形態では、側面部１２に２つの凹部１６ａ、１６ｂを設け、傾斜面部１３に２つの突片１７ａ、１７ｂを設け、側面部１２の凹部１６ａ、１６ｂに、傾斜面部１３の突片１７ａ、１７ｂをそれぞれ嵌合させて、側面部１２と傾斜面部１３とを固定するようにしている。このように、第１の実施の形態では、一対の凹部１６と突片１７とを嵌合させるのに対して、第２の実施の形態では、２対の凹部１６ａ、１６ｂと突片１７ａ、１７ｂとをそれぞれ嵌合させるようにしている。他の構成については、第１の実施の形態と同様であるので、対応部分に同一の符号を振り、その説明を省略する。このような構成とすることによって、側面部１２と傾斜面部１３との固定を強固にすることができる。
【００３８】
第３の実施の形態
図８は、第３の実施の形態を示すものである。前述の第１の実施の形態では、１個のスペーサ１５を底面部１１に貼着するようにしている。この実施の形態では、スペーサ１５ａを底面部１１側に設けると共に、スペーサ１５ｂを側面部１２上のスペーサ１５ａと対応して設けるようにしている。ネズミ捕獲器１を折り畳んだときに、側面部１２のスペーサ１５ａと底面部１１のスペーサ１５ｂとが嵌合し、底面部１１と側面部１２との間に、空隙を生じさせる。他の構成については、第１の実施の形態と同様であるので、対応部分に同一の符号を振り、その説明を省略する。このような構成とすることによって、側面部１２のスペーサ１５ｂの周囲部分を強固にし、側面部１２の中央部の陥没を防止することができる。
【００３９】
第４の実施の形態
図９は、第４の実施の形態を示すものである。前述の図４に示される第１の実施の形態では、ネズミ捕獲器１が組み立てられたときの、底面部１１と側面部１２と傾斜面部１３とで形成される形状は直角三角形となっているが、実施の形態４においてはその形状を扇形形状としたものである。図９において、図４と同一部分には同じ番号を付与しその説明を省略する。図９において、（Ａ）のように、ネズミ捕獲器１が折りたたまれた状態から傾斜面部１３を開いたときには、傾斜面部１３の側面は直線状になっているが、（Ｂ）に示すように、ネズミ捕獲器１を組み立てるときに傾斜面部１３の形状を曲線状に形成した後に、曲線状になった傾斜面部１３の突片１７を側面部１２の凹部１６に嵌合することによって、（Ｃ）のようにネズミ捕獲器１の側面形状を扇形とすることができる。
【００４０】
第５の実施の形態
図１０は、第４の実施の形態を示すものである。前述の図４に示される第１の実施の形態では、ネズミ捕獲器１が組み立てられたときの、底面部１１と側面部１２と傾斜面部１３とで形成される形状は直角三角形となっているが、実施の形態４においてはその形状を矩形形状としたものである。図１０において、図４と同一部分には同じ番号を付与しその説明を省略する。図１０において、（Ａ）のように、ネズミ捕獲器１が折りたたまれた状態から第２側面部１３−１および上壁部１３−２を開いたときには、第２側面部１３−１および上壁部１３−２は直線状になっているが、（Ｂ）に示すように、ネズミ捕獲器１を組み立てるときに第２側面部１３−１および上壁部１３−２の折目２６で折り曲げた後に上壁部１３−２の突片１７を側面部１２の凹部１６に嵌合することによって、（Ｃ）のようにネズミ捕獲器１の側面形状を矩形形状とすることができる。
【００４１】
第６の実施の形態
図１１は、第５の実施の形態を示すものである。前述の図４に示される第１の実施の形態では、ネズミ捕獲器１が組み立てられたときの、底面部１１と側面部１２と傾斜面部１３とで形成される形状は直角三角形となっているが、実施の形態４においてはその形状を台形形状としたものである。図１１において、図４と同一部分には同じ番号を付与しその説明を省略する。図１１において、（Ａ）のように、ネズミ捕獲器１が折りたたまれた状態から傾斜部１３−３および上壁部１３−４を開いたときには、傾斜部１３−３および上壁部１３−４は直線状になっているが、（Ｂ）に示すように、ネズミ捕獲器１を組み立てるときに傾斜部１３−３および上壁部１３−４の折目２６を折り曲げた後に上壁部１３−４の突片１７を側面部１２の凹部１６に嵌合することによって、（Ｃ）のようにネズミ捕獲器１の側面形状を台形形状とすることができる。
【００４２】
本考案は、上述した実施形態に限定されるものではなく、この考案の要旨を逸脱しない範囲内で様々な変形や応用が可能である。
【００４３】
【考案の効果】
本考案によれば、側面部が底面部に対して垂直に折り曲げられるため、壁際に接近させて置くことができ、壁際を沿って走るというネズミの習性を使って、ネズミを効率的に捕獲することができる。
【００４４】
また、本考案では、側面部を底面部上に折り畳み、その上に、傾斜面を折り畳むことができる。このように、側面部を底面部上に折り畳み、その上に、傾斜面を折り畳むことにより、販売、流通、保管が便利になる。
【００４５】
また、本考案では、側面部を底面部上に折り畳んだときに、側面部と底面部との間に空隙が生じさせるスペーサを設けるようにしている。このようなスペーサが設けられているため、側面部を底面部上に折り畳み、その上に、傾斜面を折り畳んだときに、側面部と底面部とが粘着材により貼り付いてしまうことが防止できる。
【００４６】
また、本考案では、側面部の縁部に凹部を設け、傾斜面部の縁部に突片を設け、突片を凹部に嵌合させて、側面部材の縁部と傾斜面部の縁部とを固定するようにしている。このように、突片を凹部に嵌合させて、側面部材の縁部と傾斜面部の縁部とを固定するだけで、簡単に、組み立てを完了することができる。
【図面の簡単な説明】
【図１】本考案の第１の実施の形態の展開図である。
【図２】本考案の第１の実施の形態の組み立て工程を示す斜視図である。
【図３】本考案の第１の実施の形態の側面図である。
【図４】本考案の第１の実施の使用方法の説明に用いる図である。
【図５】本考案の第１の実施の形態の折り畳み工程を示す斜視図である。
【図６】本考案の第１の実施の形態における底面部と側面部との間の空隙の説明に用いる側面図である。
【図７】本考案の第２の実施の形態の説明に用いる斜視図である。
【図８】本考案の第３の実施の形態の説明に用いる側面図である。
【図９】本考案の第４の実施の形態の組み立て工程を示す斜視図である。
【図１０】本考案の第５の実施の形態の組み立て工程を示す斜視図である。
【図１１】本考案の第６の実施の形態の組み立て工程を示す斜視図である。
【符号の説明】
１１：底面部、１２：側面部、１３：傾斜面部、１４：粘着層、１５：スペーサ、１６：凹部、１７：突片、２１、２２、２３、２４、２５、２６：　折目
【図１】
0003098911.tif 000003
【図２】
0003098911.tif 000004
【図３】
0003098911.tif 000005
【図４】
0003098911.tif 000006
【図５】
0003098911.tif 000007
【図６】
0003098911.tif 000008
【図７】
0003098911.tif 000009
【図８】
0003098911.tif 000010
【図９】
0003098911.tif 000011
【図１０】
0003098911.tif 000012
【図１１】
0003098911.tif 000013